(57)【要約】【課題】季節に応じて空調負荷を効率的に低減させて省エネルギー化を促進させることができるカーテンウォールを提供すること。【解決手段】夏季において、外側ルーバー部２０の可動ルーバー２１を開放することで、下階の外側ルーバー部２０から外気が第２中間空間４Ｂに流入し、流入した外気が上階の第１中間空間４Ａに導入されるとともに上昇し、第１中間空間４Ａから上階の第２中間空間４Ｂに到達した後に、上階の外側ルーバー部２０から屋外空間に排出される。従って、第１中間空間４Ａの温度上昇をコントロールすることができ、第１中間空間４Ａに隣接した屋内空間の冷房負荷を低減することができる。一方、冬季において、外側ルーバー部２０の可動ルーバー２１を閉鎖することで、中間空間４を断熱空間として機能させることができ、空調負荷を効率的に低減させることができ、建物の省エネルギー化を促進させることができる。【選択図】図４
2010138546.tif 000002
【特許請求の範囲】
【請求項１】
屋外側に配置される外側面体と、この外側面体に対向して屋内側に配置される内側面体と、これらの外側面体と内側面体との間に形成される中間空間とを備えたカーテンウォールであって、
前記外側面体は、階高分の高さ寸法を有して屋外空間と前記中間空間とを区画し外光を中間空間に採り入れ可能な第１外側面体と、階高分の高さ寸法を有して屋外空間と前記中間空間とを区画するかまたは外気を中間空間に採り入れ可能な第２外側面体とを有し、これら第１および第２の外側面体が同一階で左右に隣接して配置されるか、上下階で上下に隣接して配置されるか、または上下左右に隣接して配置され、
前記内側面体は、階高分の高さ寸法を有して屋内空間と前記中間空間とを区画し外光を屋内空間に採り入れ可能な第１内側面体と、階高分の高さ寸法を有して屋内空間と前記中間空間とを区画する第２内側面体とを有し、前記第１内側面体が前記第１外側面体の屋内側に対向して配置され、前記第２内側面体が前記第２外側面体の屋内側に対向して配置され、
前記第２外側面体は、開閉操作可能な複数の可動ルーバーを有して構成され、当該可動ルーバーを閉鎖することで屋外空間と前記中間空間とを区画可能に構成され、当該可動ルーバーを開放することで略階高分の開口を形成して外気を中間空間に採り入れ可能に構成されているカーテンウォール。
【請求項２】
前記第１外側面体と第２外側面体とが上下に隣接して配置され、前記中間空間における各階の床レベルには、上下に通気可能な通気面材が設けられている請求項１に記載のカーテンウォール。
【請求項３】
前記中間空間における前記第１外側面体と第１内側面体との間には、当該第１外側面体を介して採り入れた外光を遮蔽する遮光手段が設けられている請求項１または請求項２に記載のカーテンウォール。
【請求項４】
前記第１および第２の内側面体のうちの少なくとも一方には、屋内空間と前記中間空間とを連通させて内気を当該中間空間に排出可能な排気手段が設けられている請求項１から請求項３のいずれかに記載のカーテンウォール。
【発明の詳細な説明】
【技術分野】
【０００１】
本発明は、カーテンウォールに関し、詳しくは、屋外側に配置される外側面体と、この外側面体に対向して屋内側に配置される内側面体と、これらの外側面体と内側面体との間に形成される中間空間とを備えたカーテンウォールに関する。
【背景技術】
【０００２】
従来より、建物の外壁であるカーテンウォールとして、屋内外を仕切るガラスパネル等の面材が二重に構成され、それらの面材同士の間に中間空間を有した、いわゆるダブルスキンタイプのカーテンウォールが知られている（例えば、特許文献１参照）。
特許文献１に記載のダブルスキンタイプのカーテンウォールは、屋外側の面材上部に設けられて屋外空間と中間空間とを連通させるルーバー装置と、中間空間の上下に設けられて通気状態を切り替え可能な換気機構とを有して構成されている。そして、換気機構を切り替えることで、ルーバー装置を介して外気を中間空間に取り込むとともに、中間空間の空気を排出することで、中間空間の温度をコントロールすることができ、外光による温度上昇の影響が大きい夏季などにおいて、屋内空間の冷房負荷を低減できるようになっている。一方、冬季においては、換気機構による中間空間の換気を停止させることで、中間空間を断熱層として機能させ、屋外の冷気を遮断して屋内空間の暖房負荷を低減できるようになっている。
【０００３】
【特許文献１】特開２００３−１０５８８０号公報
【発明の開示】
【発明が解決しようとする課題】
【０００４】
しかしながら、従来のカーテンウォールでは、ルーバー装置が屋外側の面材上部に設けられているため、その開口面積に制限を受けることから、中間空間の換気量を高めることが難しく、夏季における冷房負荷の低減効果も限定的である。また、従来のカーテンウォールにおいて、ルーバー装置の開口面積を大きくしてしまうと、中間空間の換気量が高められるものの、冬季における中間空間の断熱層としての機能を損ない、暖房負荷の低減を図ることが困難になるという不都合がある。
【０００５】
本発明の目的は、季節に応じて空調負荷を効率的に低減させて省エネルギー化を促進させることができるカーテンウォールを提供することにある。
【課題を解決するための手段】
【０００６】
本発明のカーテンウォールは、屋外側に配置される外側面体と、この外側面体に対向して屋内側に配置される内側面体と、これらの外側面体と内側面体との間に形成される中間空間とを備えたカーテンウォールであって、前記外側面体は、階高分の高さ寸法を有して屋外空間と前記中間空間とを区画し外光を中間空間に採り入れ可能な第１外側面体と、階高分の高さ寸法を有して屋外空間と前記中間空間とを区画するかまたは外気を中間空間に採り入れ可能な第２外側面体とを有し、これら第１および第２の外側面体が同一階で左右に隣接して配置されるか、上下階で上下に隣接して配置されるか、または上下左右に隣接して配置され、前記内側面体は、階高分の高さ寸法を有して屋内空間と前記中間空間とを区画し外光を屋内空間に採り入れ可能な第１内側面体と、階高分の高さ寸法を有して屋内空間と前記中間空間とを区画する第２内側面体とを有し、前記第１内側面体が前記第１外側面体の屋内側に対向して配置され、前記第２内側面体が前記第２外側面体の屋内側に対向して配置され、前記第２外側面体は、開閉操作可能な複数の可動ルーバーを有して構成され、当該可動ルーバーを閉鎖することで屋外空間と前記中間空間とを区画可能に構成され、当該可動ルーバーを開放することで略階高分の開口を形成して外気を中間空間に採り入れ可能に構成されていることを特徴とする。
【０００７】
このような本発明によれば、階高分の高さ寸法を有する第２外側面体の可動ルーバーを開放し、略階高分の開口を形成して外気を中間空間に採り入れることで、中間空間の換気量を高めることができ、夏季において中間空間の温度を効率的にコントロールすることによって冷房負荷を低減させることができる。一方、第２外側面体の可動ルーバーを閉鎖し、屋外空間と中間空間とを区画すれば、中間空間に外気が入り込まないことから、冬季において中間空間を断熱層として機能させることができ、暖房負荷を低減させることができる。従って、夏季および冬季の両方において空調負荷を効率的に低減させることができ、建物の省エネルギー化を促進させることができる。
【０００８】
この際、本発明のカーテンウォールでは、前記第１外側面体と第２外側面体とが上下に隣接して配置され、前記中間空間における各階の床レベルには、上下に通気可能な通気面材が設けられていることが好ましい。
【０００９】
さらに、本発明のカーテンウォールでは、前記中間空間における前記第１外側面体と第１内側面体との間には、当該第１外側面体を介して採り入れた外光を遮蔽する遮光手段が設けられていることが好ましい。
ここで、遮光手段としては、布地を巻き込んで上げ下げできるロールスクリーンや、上下に並列した複数の羽板（スラット）を上げ下げおよび角度操作することで採光量を調節できるブラインド、並べて吊り下げた複数のテープをレールに沿って水平移動および角度操作することで採光量を調節できるカーテンなどが採用できる。
【００１０】
また、本発明のカーテンウォールでは、前記第１および第２の内側面体のうちの少なくとも一方には、屋内空間と前記中間空間とを連通させて内気を当該中間空間に排出可能な排気手段が設けられていることが好ましい。
ここで、排気手段としては、電動や油圧、弾性力等により開閉動作可能なダンパー装置や、電動または手動により開閉可能な窓、ガラリなどが採用できる。
【発明を実施するための最良の形態】
【００１１】
以下、本発明の一実施形態を図面に基づいて説明する。
図１は、本実施形態に係るカーテンウォール１により外壁面が形成された建物を示す外観姿図である。図２は、外壁の縦断面図であり、図１に矢視II−II線で示す断面図である。図３は、外壁の横断面図であり、図１に矢視III 線で示す断面図である。図４は、図２の要部を拡大して示す縦断面図である。
図１〜図４において、カーテンウォール１は、建物の外壁面を構成する外側面体としてのアウタースキン２と、このアウタースキン２に対向して屋内側に配置される内側面体としてのインナースキン３とを備えて構成されている。これらのアウタースキン２とインナースキン３との間には、中間空間４が形成されており、カーテンウォール１は、いわゆるダブルスキン構造のカーテンウォールである。
【００１２】
アウタースキン２は、階高分の高さ寸法を有した第１外側面体としての外側窓部１０と、階高分の高さ寸法を有した第２外側面体としての外側ルーバー部２０と、外側窓部１０と外側ルーバー部２０とを左右に仕切って上下に延びる外側方立２Ａと、各階の床Ｆと略同レベルにて左右に延びて外側方立２Ａを上下に支持する外側横材２Ｂと、を有して構成されている。外側窓部１０と外側ルーバー部２０とは、同一階で外側方立２Ａを挟んで左右に隣接して交互に配置されるとともに、上下階で外側横材２Ｂを挟んで上下に隣接して交互に配置されている。すなわち、外側窓部１０と外側ルーバー部２０とは、一方の上下左右に他方が隣り合うような市松状（チェッカー状）に配置されている。
【００１３】
インナースキン３は、階高分の高さ寸法を有した第１内側面体としての内側窓部３０と、階高分の高さ寸法を有した第２内側面体としての内側壁部４０と、内側窓部３０と内側壁部４０とを左右に仕切って上下に延びる内側方立３Ａと、を有して構成されている。内側窓部３０は、外側窓部１０の屋内側に対向して配置され、内側壁部４０は、外側ルーバー部２０の屋内側に対向して配置され、すなわちアウタースキン２と同様に、インナースキン３における内側窓部３０と内側壁部４０とは、一方の上下左右に他方が隣り合うような市松状（チェッカー状）に配置されている。
【００１４】
アウタースキン２の外側窓部１０は、外側方立２Ａと外側横材２Ｂとで囲まれた内部において、上下階の外側横材２Ｂに渡って架設される副外側方立１１と、これらの外側方立２Ａ、外側横材２Ｂおよび副外側方立１１に四辺が支持される外側ガラスパネル１２とを有して構成されている。具体的には、外側ガラスパネル１２は、その上端縁および下端縁が上下階の外側横材２Ｂに保持されるとともに、その側端縁の一方が外側横材２Ｂに保持され、側端縁の他方（中央側）がガラスホルダー１３を介して副外側方立１１に保持され、外側ガラスパネル１２同士は、副外側方立１１の屋外側である中央側の側端縁においてシール材を介して接続されている。そして、外側ガラスパネル１２は、屋外空間と中間空間４との間を気密かつ水密に区画するとともに、外光を中間空間４に採り入れ可能に透光性を有して構成されている。
【００１５】
外側ルーバー部２０は、左右の外側方立２Ａ間に渡って略水平に延び水平軸回りに回動自在に設けられる複数の可動ルーバー２１を有し、これら複数の可動ルーバー２１が図示しない開閉装置によって開閉操作可能に構成されている。従って、図２に示すように、可動ルーバー２１を屋外側に回動させて開放することで、外側ルーバー部２０の略全体であり略階高分の開口２２が形成され、外気を中間空間４に採り入れ可能かつ中間空間４の空気を屋外側に排出可能に構成されている。一方、上下に隣り合う可動ルーバー２１同士を当接させて閉鎖することで、屋外空間と中間空間４とを区画可能、つまり屋外空間と中間空間４とが連通不能となるように構成されている。このような可動ルーバー２１は、例えば、磁器タイルや、透明または不透明ガラス、木材、アルミ等の金属材など適宜な素材で構成されたものが利用可能であり、外光を遮断する遮光性を有していてもよく、また外光を透過させる透光性を有していてもよい。
【００１６】
インナースキン３の内側窓部３０は、建物の床Ｆおよび梁Ｇの屋外側を覆ってスパンドレル部に固定されるＰＣａ版からなる第１外壁材３１と、この第１外壁材３１の下側と内側壁部４０との間および一方の内側方立３Ａに支持される固定ガラス窓３２と、固定ガラス窓３２と他方の内側方立３Ａとの間に開閉可能に支持される内開き窓３３とを有して構成されている。第１外壁材３１は、図示しないファスナーを介して床Ｆの床スラブ（建物躯体）や梁Ｇに固定され、この第１外壁材３１から屋外側に突出する片持ち梁３４の先端に外側方立２Ａおよび外側横材２Ｂが支持されている。固定ガラス窓３２は、透光性のガラスパネルを有して構成され、外側窓部１０を介して中間空間４に採り入れた外光を屋内空間に採り入れることができるようになっている。内開き窓３３は、内側方立３Ａ側に設けられたヒンジ等で回動自在に支持され、この内開き窓３３を屋内側に開放すれば、中間空間４に出入り可能となり、内開き窓３３を閉じることで、屋内空間と中間空間４とが気密かつ水密に区画されるようになっている。
【００１７】
内側壁部４０は、建物の床Ｆおよび梁Ｇの屋外側を覆ってスパンドレル部に固定されるＰＣａ版からなる第２外壁材４１と、下階の内側壁部４０の上側にて建物の床Ｆに固定されるＰＣａ版からなる第３外壁材４２と、これらの第２外壁材４１と第３外壁材４２との間に設けられる排気手段としての突き出し窓４３とを有して構成されている。第２外壁材４１および第３外壁材４２は、図示しないファスナーを介して床Ｆの床スラブ（建物躯体）や梁Ｇに固定され、第２外壁材４１から屋外側に突出する片持ち梁４４の先端に外側方立２Ａおよび外側横材２Ｂが支持されている。突き出し窓４３は、第３外壁材４２の上部に設けられたヒンジ等で回動自在に支持され、適宜な操作部の操作によって突き出し窓４３を屋外側に開放すれば、屋内空間の内気を中間空間４に排出可能となり、突き出し窓４３を閉じることで、屋内空間と中間空間４とが気密かつ水密に区画されるようになっている。
【００１８】
中間空間４において、各階の床Ｆと略同レベルの高さ位置には、片持ち梁３４，４４の上側に支持される床材であるグレーチング５１と、片持ち梁３４，４４の下側に支持される通気パネル５２とが設けられている。これらのグレーチング５１および通気パネル５２は、それぞれ空気を通過可能な複数の孔を有して形成され、つまりグレーチング５１および通気パネル５２によって、上下階の中間空間４に渡って通気可能な通気面材が構成されている。また、中間空間４のうち、外側窓部１０と内側窓部３０との間に形成される第１中間空間４Ａと、外側ルーバー部２０と内側壁部４０との間に形成される第２中間空間４Ｂとは、仕切り面材としてのガラス製の仕切りパネル５３で区画されている。この仕切りパネル５３は、外側方立２Ａと内側方立３Ａとの間に支持されており、第１中間空間４Ａと第２中間空間４Ｂとの間の空気の流通を制限できるようになっている。また、第１中間空間４Ａにおいて、内側窓部３０の屋外側には、外側窓部１０を介して中間空間４に採り入れた外光を遮蔽する遮光手段としての可動ブラインド５４が設けられている。
【００１９】
以上のカーテンウォール１では、夏季において、外側ルーバー部２０の可動ルーバー２１を開放するとともに、第１中間空間４Ａの可動ブラインド５４を降ろして遮光することで、図４に示すような、中間空間４の換気モードが構成される。この中間空間４の換気モードでは、先ず、外側窓部１０から中間空間４に入った外光を可動ブラインド５４で遮蔽することで、可動ブラインド５４周辺の空気が暖められ、第１中間空間４Ａの内部に上昇気流が生じる。この上昇気流に伴って、下階の外側ルーバー部２０における可動ルーバー２１間の開口２２から外気が第２中間空間４Ｂに流入し、流入した外気が通気パネル５２およびグレーチング５１を通って第１中間空間４Ａに導入される。そして、導入された外気が上昇気流とともに第１中間空間４Ａ内部を上昇し、暖められた空気を伴って第１中間空間４Ａ上部の通気パネル５２およびグレーチング５１を通り、上階の第２中間空間４Ｂに到達した後に、上階の可動ルーバー２１間の開口２２から屋外空間に排出される。
【００２０】
以上の換気モードにおいては、第１中間空間４Ａ内部の暖められた空気を屋外空間に排出することで、第１中間空間４Ａの温度上昇をコントロールすることができ、第１中間空間４Ａに隣接した屋内空間の冷房負荷を低減することができる。また、第２中間空間４Ｂにおいても、可動ルーバー２１によって外光が遮蔽されるとともに、可動ルーバー２１間の開口２２を通して外気が流通することで、第２中間空間４Ｂの温度上昇が抑えられるようになっている。さらに、第２中間空間４Ｂに面した内側壁部４０は、第２外壁材４１および第３外壁材４２で過半の外壁面が構成されていることから、この内側壁部４０を介した熱伝導が抑えられ、第２中間空間４Ｂに隣接した屋内空間の冷房負荷も低減することができる。また、内側窓部３０の内開き窓３３や内側壁部４０の突き出し窓４３を開放すれば、第１および第２の中間空間４Ａ，４Ｂに流入する外気に伴って屋内空間の内気を排出することができ、屋内空間の換気も行うことができるようになっている。
【００２１】
一方、冬季において、外側ルーバー部２０の可動ルーバー２１を閉鎖することで、第２中間空間４Ｂを屋外空間と区画し、この第２中間空間４Ｂおよび第１中間空間４Ａを断熱空間として機能させることができるようになっている。この際、第１中間空間４Ａの可動ブラインド５４を上げることで、外側窓部１０を介して中間空間４に採り入れた外光を内側窓部３０から屋内空間に採り入れることもできる。従って、屋内空間に対して屋外空間の冷気が直接入り込まないことから、屋内空間の温度低下を抑制することができ、屋内空間の暖房負荷を低減することができる。
以上のように、カーテンウォール１によれば、夏季および冬季の両方において空調負荷を効率的に低減させることができ、建物の省エネルギー化を促進させることができる。
【００２２】
なお、本発明は、前記実施形態に限定されるものではなく、本発明の目的が達成できる以下の構成を備えていればよい。
（１）本発明のカーテンウォールは、屋外側に配置される外側面体と、この外側面体に対向して屋内側に配置される内側面体と、これらの外側面体と内側面体との間に形成される中間空間とを備えたカーテンウォールであって、前記外側面体は、階高分の高さ寸法を有して屋外空間と前記中間空間とを区画し外光を中間空間に採り入れ可能な第１外側面体と、階高分の高さ寸法を有して屋外空間と前記中間空間とを区画するかまたは外気を中間空間に採り入れ可能な第２外側面体とを有し、これら第１および第２の外側面体が同一階で左右に隣接して配置されるか、上下階で上下に隣接して配置されるか、または上下左右に隣接して配置され、前記内側面体は、階高分の高さ寸法を有して屋内空間と前記中間空間とを区画し外光を屋内空間に採り入れ可能な第１内側面体と、階高分の高さ寸法を有して屋内空間と前記中間空間とを区画する第２内側面体とを有し、前記第１内側面体が前記第１外側面体の屋内側に対向して配置され、前記第２内側面体が前記第２外側面体の屋内側に対向して配置され、前記第２外側面体は、開閉操作可能な複数の可動ルーバーを有して構成され、当該可動ルーバーを閉鎖することで屋外空間と前記中間空間とを区画可能に構成され、当該可動ルーバーを開放することで略階高分の開口を形成して外気を中間空間に採り入れ可能に構成されていればよい。
【００２３】
以上のカーテンウォールによれば、階高分の高さ寸法を有する第２外側面体の可動ルーバーを開放し、略階高分の開口を形成して外気を中間空間に採り入れることで、中間空間の換気量を高めることができ、夏季において中間空間の温度を効率的にコントロールすることによって冷房負荷を低減させることができる。一方、第２外側面体の可動ルーバーを閉鎖し、屋外空間と中間空間とを区画すれば、中間空間に外気が入り込まないことから、冬季において中間空間を断熱層として機能させることができ、暖房負荷を低減させることができる。従って、夏季および冬季の両方において空調負荷を効率的に低減させることができ、建物の省エネルギー化を促進させることができる。
【００２４】
（２）本発明のカーテンウォールでは、前記第１外側面体と第２外側面体とが上下に隣接して配置され、前記中間空間における各階の床レベルには、上下に通気可能な通気面材が設けられていることが好ましい。
このような構成によれば、下階に配置された第２外側面体から中間空間に外気を採り入れ、この外気を通気面材を介して上階の中間空間に導入させることができ、上下階に渡って外気の流通効率を高めることができる。
【００２５】
（３）本発明のカーテンウォールでは、前記中間空間における前記第１外側面体と第１内側面体との間には、当該第１外側面体を介して採り入れた外光を遮蔽する遮光手段が設けられていることが好ましい。
このような構成によれば、第１外側面体を介して採り入れた外光を遮光手段で遮蔽することで、第１内側面体から屋内空間への外光の入射を抑制でき、屋内空間の温度上昇を抑制することができる。さらに、外光を遮蔽した遮光手段周辺の温度上昇によって上昇気流を発生させることで、第２外側面体から採り入れた外気を上昇気流とともに上昇させて効率よく排気することができ、換気効率を向上させることができる。
【００２６】
（４）本発明のカーテンウォールでは、前記第１および第２の内側面体のうちの少なくとも一方には、屋内空間と前記中間空間とを連通させて内気を当該中間空間に排出可能な排気手段が設けられていることが好ましい。
このような構成によれば、屋内空間の内気を排気手段で中間空間に排出することで、この内気を前述の外気の流れに乗せて屋外空間に排気することができ、屋内空間を換気することにより居住環境を良好にすることができる。
【００２７】
また、以下に示すような変形等も本発明に含まれる。
例えば、前記実施形態においては、アウタースキン２において、外側窓部１０および外側ルーバー部２０の一方と他方とが互いに上下左右に隣り合うように配置し、インナースキン３において、内側窓部３０および内側壁部４０の一方と他方とが互いに上下左右に隣り合うように配置したが、このような配置に限定されない。すなわち、アウタースキン２の外側窓部１０が同一階にて左右に連続し、その上下階にて外側ルーバー部２０が左右に連続して配置され、これらの外側窓部１０および外側ルーバー部２０の各々の屋内側に内側窓部３０および内側壁部４０が対向して配置されてもよい。さらに、アウタースキン２の外側窓部１０が複数階に渡って上下に連続し、その左右に外側ルーバー部２０が隣接して配置され、これらの外側窓部１０および外側ルーバー部２０の各々の屋内側に内側窓部３０および内側壁部４０が対向して配置されてもよい。
【００２８】
また、前記実施形態では、アウタースキン２における外側ルーバー部２０が左右に延びる複数の可動ルーバー２１を有して構成されていたが、これに限らず、可動ルーバー２１が上下に延びて鉛直軸回りに回動可能に設けられていてもよく、さらには回動開閉可能なものの他に、スライド開閉可能なものであってもよい。
また、前記実施形態では、インナースキン３における内側窓部３０が内開き窓３３を有して構成されていたが、これに限らず、内開き窓を備えない固定ガラス窓３２のみで構成されたものであってもよく、さらには内側窓部３０が引違い窓や片引き窓で構成されていてもよい。
また、前記実施形態では、インナースキン３における内側壁部４０が第２および第３の外壁材４１，４２と突き出し窓４３とを有して構成されていたが、これに限らず、ＰＣａ版からなる外壁材のみで構成されたものであってもよく、またインナースキン３と同様に、固定ガラス窓や内開き窓、引違い窓、片引き窓等を備えて構成されていてもよい。
【００２９】
また、前記実施形態では、中間空間４のうち、外側窓部１０と内側窓部３０との間に形成される第１中間空間４Ａと、外側ルーバー部２０と内側壁部４０との間に形成される第２中間空間４Ｂとが仕切りパネル５３で区画されていたが、この仕切りパネル５３を省略してもよい。ただし、仕切りパネル５３（仕切り面材）を設けることで、下階の外側ルーバー部２０から採り入れて第１中間空間４Ａに導入した外気が、その左右に隣接する第２中間空間４Ｂに流れて屋外空間に流出するのを防止し、つまり外気が第１中間空間４Ａを上昇せずに排出されてしまうようなショートカットを防止することができ、第１中間空間４Ａの換気効率が確保できる。一方、仕切りパネル５３を省略すれば、所定の階において、外側ルーバー部２０から採り入れた外気を側方の第１中間空間４Ａに導入してから、さらに側方の第２中間空間４Ｂを介して外側ルーバー部２０から排出するような空気の流れを作り出すこともできる。
【００３０】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３１】
【図１】本発明の実施形態に係るカーテンウォールを示す外観姿図である。
【図２】前記カーテンウォールを示す縦断面図である。
【図３】前記カーテンウォールを示す横断面図である。
【図４】前記カーテンウォールの要部を拡大して示す縦断面図である。
【符号の説明】
【００３２】
１…カーテンウォール、２…アウタースキン（外側面体）、３…インナースキン（内側面体）、４…中間空間、１０…外側窓部（第１外側面体）、２０…外側ルーバー部（第２外側面体）、２１…可動ルーバー、３０…内側窓部（第１内側面体）、４０…内側壁部（第２内側面体）、４３…突き出し窓（排気手段）、５１…グレーチング（通気面材）、５２…通気パネル（通気面材）、５４…可動ブラインド（遮光手段）。
【図１】
2010138546.tif 000003
【図２】
2010138546.tif 000004
【図３】
2010138546.tif 000005
【図４】
2010138546.tif 000006